(57)【特許請求の範囲】
【請求項１】
エンドレス状態に配置された多数枚のスクリーンプレートで水路の流水中の塵埃を捕捉しながら、スクリーンプレートの回転駆動で塵埃を流水中から引き上げる除塵装置において、
前記水路の内部に、駆動手段で回転駆動される駆動円板と、その上流側のリング状円板と、駆動円板とリング状円板の外周部を一体的に連結する連結板とで構成された枠体を備え、前記各スクリーンプレートは、枠体の内部に正多角形状でエンドレス状態となるように配置されて、先端部が駆動円板に着脱可能に固定され、後端部がリング状円板に着脱可能に固定されることを特徴とする除塵装置。
【請求項２】
前記駆動円板に、スクリーンプレートの先端部を差し込んで固定する先端受け部材が設けられ、前記リング状円板に、スクリーンプレートの後端部を載せる後端受け部材と、この後端受け部材にスクリーンプレートの差し込み後端部を押さえて固定する着脱可能な押え部材とが設けられていることを特徴とする請求項１に記載の除塵装置。
【請求項３】
前記駆動円板に、スクリーンプレートの先端部を載せて着脱可能に固定する先端受け部材が設けられ、前記リング状円板に、スクリーンプレートの後端部を載せて着脱可能に固定する後端受け部材が設けられていることを特徴とする請求項１に記載の除塵装置。
【請求項４】
前記スクリーンプレートは、正六角形状を形成するように差し込まれていることを特徴とする請求項１〜３のいずれか一項に記載の除塵装置。
【請求項５】
前記スクリーンプレートの回転駆動で流水中から引き上げられた塵埃を捕集して外部に搬出するスクリューコンベヤが設けられ、このスクリューコンベヤに脱水・圧縮機構が内蔵されていることを特徴とする請求項１〜４のいずれか一項に記載の除塵装置。
【請求項６】
前記水路に相当する水槽が床面に設置され、この水槽の内部に前記枠体とスクリーンプレートとの組み立て体が組み込まれ、前記水槽の壁面に、水流の入口管と出口管と、塵埃をスクリーンプレートから下方に脱落させるスプレー管と、この脱落する塵埃を捕集して外部に案内する塵埃案内手段とが取付けられ、前記水槽の上壁面には、開閉可能な蓋が取付けられてユニット化されていることを特徴とする請求項１〜５のいずれか一項に記載の除塵装置。
【発明の詳細な説明】
【技術分野】
【０００１】
本発明は、除塵装置に関する。
【背景技術】
【０００２】
従来、図１２に示すように、水路２に、スクリーンネット５ａをエンドレス状態に張設した円筒状のスクリーン本体５を配置して、ガイドローラ６を環状のガイドレール７で支承する。そして、無端状チェーン８をモータ９のスプロケット９ａで駆動することで、スクリーン本体５を円状に回転駆動するようにした円形カップタイプの除塵装置がある（特許文献１を参照）。かかる除塵装置は、水深が浅くて流量の少ない水路に適している。
【先行技術文献】
【特許文献】
【０００３】
【特許文献１】特開平１１−１８１７４５号公報
【発明の概要】
【発明が解決しようとする課題】
【０００４】
しかしながら、特許文献１のような円形カップタイプの除塵装置では、スクリーンネットの直径が１〜２ｍであり、その一部に破損等が生じたときでも、古いスクリーンネット全体を取り外し、新しいスクリーンネット全体を取り付ける必要がある。したがって、交換部品（スクリーンネット）コストが高くなるとともに、交換作業に時間がかかるので、交換作業コストも高くなるという問題がある。
【０００５】
本発明は、前記問題を解消するためになされたもので、交換部品コストと交換作業コストが安くなる除塵装置を提供することを目的とするものである。
【課題を解決するための手段】
【０００６】
前記課題を解決するために、本発明は、エンドレス状態に配置された多数枚のスクリーンプレートで水路の流水中の塵埃を捕捉しながら、スクリーンプレートの回転駆動で塵埃を流水中から引き上げる除塵装置において、前記水路の内部に、駆動手段で回転駆動される駆動円板と、その上流側のリング状円板と、駆動円板とリング状円板の外周部を一体的に連結する連結板とで構成された枠体を備え、前記各スクリーンプレートは、枠体の内部に正多角形状でエンドレス状態となるように配置されて、先端部が駆動円板に着脱可能に固定され、後端部がリング状円板に着脱可能に固定されることを特徴とする除塵装置を提供するものである。
【０００７】
請求項２のように、請求項１において、前記駆動円板に、スクリーンプレートの先端部を差し込んで固定する先端受け部材が設けられ、前記リング状円板に、スクリーンプレートの後端部を載せる後端受け部材と、この後端受け部材にスクリーンプレートの差し込み後端部を押さえて固定する着脱可能な押え部材とが設けられている構成とすることができる。
【０００８】
請求項３のように、請求項１において、前記駆動円板に、スクリーンプレートの先端部を載せて着脱可能に固定する先端受け部材が設けられ、前記リング状円板に、スクリーンプレートの後端部を載せて着脱可能に固定する後端受け部材が設けられている構成とすることができる。
【０００９】
請求項４のように、請求項１〜３のいずれか一項において、前記スクリーンプレートは、正六角形状を形成するように差し込まれている構成とすることができる。
【００１０】
請求項５のように、請求項１〜４のいずれか一項において、前記スクリーンプレートの回転駆動で流水中から引き上げられた塵埃を捕集して外部に搬出するスクリューコンベヤが設けられ、このスクリューコンベヤに脱水・圧縮機構が内蔵されている構成とすることができる。
【００１１】
請求項６のように、請求項１〜５のいずれか一項において、前記水路に相当する水槽が床面に設置され、この水槽の内部に前記枠体とスクリーンプレートとの組み立て体が組み込まれ、前記水槽の壁面に、水流の入口管と出口管と、塵埃をスクリーンプレートから下方に脱落させるスプレー管と、この脱落する塵埃を捕集して外部に案内する塵埃案内手段とが取付けられ、前記水槽の上壁面には、開閉可能な蓋が取付けられてユニット化されている構成とすることができる。
【発明の効果】
【００１２】
本発明によれば、枠体でスクリーンプレートを回転駆動することで、流水中の塵埃を捕捉しながら流水中から引き上げることができる。また、除塵装置は、カップタイプであるから、水深が浅くて流量の少ない水路に適している。
【００１３】
さらに、各スクリーンプレートは、枠体の内部に正多角形状でエンドレス状態となるように配置し、先端部を駆動円板に着脱可能に固定し、後端部をリング状円板に着脱可能に固定するものである。したがって、各スクリーンプレートの一部に破損等が生じたときは、そのスクリーンプレートだけを取り外し、新しいスクリーンプレートを取り付けることができる。そのため、交換部品（スクリーンプレート）コストが安くなるとともに、交換作業に時間がかからないので、交換作業コストも安くなる。
【００１４】
請求項２によれば、スクリーンプレートの先端部は、リング状円板の開口から駆動円板の先端受け部材に差し込んで固定するだけであり、スクリーンプレートの後端部は、後端受け部材に載せ、押え部材で、後端受け部材に押さえて固定するだけである。したがって、スクリーンプレートの交換作業が簡単かつ迅速に行える。
【００１５】
請求項３によれば、スクリーンプレートの先端部は、駆動円板の先端受け部材に載せてねじ等で固定するだけであり、スクリーンプレートの後端部は、後端受け部材に載せてねじ等で固定するだけである。したがって、スクリーンプレートの交換作業が簡単かつ迅速に行える。
【００１６】
請求項４によれば、スクリーンプレートが６枚の六角カップタイプとなり、特許文献１の円形カップタイプと比較して、塵埃の捕捉率を維持しながら、交換作業コストを安くすることができる。
【００１７】
請求項５によれば、塵埃を捕集して単に外部に搬出するトラフに代えて、脱水・圧縮機構付きスクリューコンベヤを設けたものである。したがって、塵埃を捕集し、脱水しつつ圧縮できることで、トラフと脱水装置と圧縮装置を別々に設置する場合と比べて、各装置の設置スペースが不要になるとともに、設備コストも安くなる。
【００１８】
請求項６によれば、製造工場で水槽内に組み立て体を組み込み、壁面に入口管等を取付けたてユニット化したものを、トラック等で水処理工場に搬送して、この水処理工場の床面に設置する。そして、入口管等を水処理工場内の各メイン配管に接続する。これにより、水処理工場内の床面に除塵装置を設置することができる。したがって、土木工事で地面に水路を掘って除塵装置を設置する場合と比べて、除塵装置の設置工事を簡単かつ迅速に行うことができる。また、除塵装置が小流量タイプである場合には、複数台のユニットを並べて設置し、各ユニットの入口管等を水処理工場内の各メイン配管にそれぞれ接続すれば、簡単に大流量タイプとすることもできる。さらに、水槽の蓋を取り外せば、スクリーンプレートの交換作業等のメンテナンスも簡単かつ迅速に行える。
【図面の簡単な説明】
【００１９】
【図１】本発明に係る第１実施形態の除塵装置の側面断面図である。
【図２】図１の平面図である。
【図３】（ａ）は図１の正面図、（ｂ）は図１の平面断面図である。
【図４】（ａ）（ｂ）は枠体とスクリーンプレートとの組み立て体の斜視図である。
【図５】（ａ）はスクリーンプレートの固定構造の断面図、（ｂ）はスクリーンプレートの後端部の固定構造の斜視図、（ｃ）はスクリーンプレートの先端部の固定構造の斜視図である。
【図６】本発明に係る第２実施形態の除塵装置であり、（ａ）は側面断面図、（ｂ）は正面断面図である。
【図７】（ａ）は図６（ａ）の平面断面図、（ｂ）は図６（ａ）の要部拡大図である。
【図８】ケーシング部分を断面にしたスクリューコンベヤの斜視図である。
【図９】図８のケーシングの湾曲筒部とフード部の断面図である。
【図１０】水槽の要部破断斜視図である。
【図１１】複数台の水槽を設置したときの平面図である。
【図１２】特許文献１の除塵装置であり、（ａ）は側面断面図、（ｂ）は正面断面図である。
【発明を実施するための形態】
【００２０】
以下、本発明を実施するための形態について、図面を参照しながら詳細に説明する。図１は第１実施形態の除塵装置の側面断面図、図２は図１の平面図、図３（ａ）は図１の正面図、同（ｂ）は図１の平面断面図である。図４（ａ）（ｂ）は枠体５６とスクリーンプレート５７との組み立て体１００の斜視図、図５（ａ）はスクリーンプレート５７の固定構造の断面図、同（ｂ）はスクリーンプレート５７の後端部５７ｃの固定構造の斜視図、同（ｃ）はスクリーンプレート５７の先端部５７ｂの固定構造の斜視図である。
【００２１】
水路に相当する水槽５２が床面５１に設置され、この水槽５２の一方の側壁面５２ｂ（上流側壁面）には水流の入口管５３が取付けられ、他方の側壁面５２ｃ（下流側壁面）には、入口管５３よりも低い位置に水流の出口管５４が取付けられている。水槽５２は、図１０を参照すれば、底壁面５２ａと、底壁面５２ａの四方から立ち上がった側壁面５２ｂ〜５２ｅとで上部が開口した四角箱状に形成され、上部の開口面には、開閉可能な蓋５２ｆが取付けられている。水槽５２は、例えば、ＰＣコンクリート製、鋼製、ＦＲＰ製である。なお、水路は水槽５２である必要はなく、土木工事で地面に掘った水路であってもよい。
【００２２】
水槽５２内には、枠体５６とスクリーンプレート５７との組み立て体１００が組み込まれている。枠体５６は、駆動円板５８と、その上流側のリング状円板５９と、駆動円板５８とリング状円板５９の外周部を一体的に連結する連結板６０ａ，６０ｂとで構成されている。
【００２３】
駆動円板５８の背面には、図４（ｂ）のように、放射状に補強板６１が固定され、この補強板６１の中心には、駆動軸６２が固定されている。
【００２４】
水槽５２の他方の側壁面５２ｃを貫通して、床面５１で支持されて出口管５４よりも高い位置に基台６４が設けられ、この基台６４には減速機付き電動モータ（駆動手段）６５が設置されている。
【００２５】
枠体５６の駆動円板５８の駆動軸６２は、基台６４の軸受６６で回転自在に支持されて、駆動軸６２と電動モータ６５の出力軸とがカップリング６７で連結されていて、電動モータ６５で枠体５６が直接回転駆動されるようになる。
【００２６】
リング状円板５９には、中心部に正六角形状の大きな開口５９ａが形成されている。このリング状円板５９と駆動円板５８の外周部は、開口５９ａの各角部（本例では６箇所）に対応して、水流方向に延在する連結板６０ａで連結されるとともに、各連結板６０ａの間は、開口５９ａの辺方向に延在する連結板６０ｂで連結されている。なお、開口５９ａは、必ずしも正六角形に限られるものではなく、正三角形〜正五角形、あるいは正七角形以上でも可能である。なお、開口５９ａは、図６、図７の第２実施形態では円形であってもよい。
【００２７】
スクリーンプレート５７は、多数の通水孔（図１参照）を縦横に形成した合成樹脂製の矩形状多孔質パネルである。なお、図４では、開口５９ａの一辺に対して、狭幅の３枚のスクリーンプレート５７を並べて組み合わせたものを図示しているが、広幅の１枚のスクリーンプレート５７であっても差し支えない。また、スクリーンプレート５７は、矩形状の枠状パネルに金網を取付けたものであってもよい。
【００２８】
スクリーンプレート５７は、リング状円板５９の開口５９ａから枠体５６の内部に正六角形状でエンドレス状態となるように差し込まれて、先端部５７ｂが駆動円板５８に着脱可能に固定され、後端部５７ｃがリング状円板５９に着脱可能に固定されるようになる。
【００２９】
具体的には、図５（ａ）〜（ｃ）のように、駆動円板５８の内面には、スクリーンプレート５７の先端部５７ｂを差し込んで固定する凹溝状の先端受け部材６９がねじ６９ａで固定して設けられている。
【００３０】
また、リング状円板の内面には、スクリーンプレート５７の後端部５７ｃを載せる後端受け部材７０がねじ７０ａで固定して設けられている。さらに、この後端受け部材７０にスクリーンプレート５７の後端部５７ｃを押さえて固定するために、ねじ７１ａで着脱可能に固定する略Ｌ字状の押え部材７１が設けられている。
【００３１】
そして、スクリーンプレート５７を取付けるときは、図５（ａ）の矢印ａのように、スクリーンプレート５７の先端部５７ｂを先端受け部材６９に差し込み、同矢印ｂのように、スクリーンプレート５７の後端部５７ｃを後端受け部材７０に載せた後、押え部材７１により、後端受け部材７０にスクリーンプレート５７の後端部５７ｃを押さえて固定する。なお、スクリーンプレート５７を取外すときは、上記と逆の手順である。
【００３２】
このようにして、正六角形状を形成するように枠体５６内に差し込まれた各スクリーンプレート５７は、回転方向の両端部が連結板６０ａにエンドレス状態で接するので、この部分から塵埃が流出するおそれはない。
【００３３】
また、図１のように、スクリーンプレート５７の下部は、水路である水槽５２の底部付近に位置するとともに、上部は水位Ｌ３の上方に位置するようになる。なお、入口管５３よりも低い位置に水流の出口管５４を取付けているから、電動モータ６５や軸受６６が水没するおそれはない。
【００３４】
そして、図３（ｂ）の矢印のように、入口管５３から水槽５２の内部に取り入れられた水流は、リング状円板５９の開口５９ａからスクリーンプレート５７の内から外に通り抜けて、出口管５４から水槽５２の外部に排出されるようになる。なお、入口管５３の拡大部５３ａには、リング状円板５９の外面に接触して水密にシールするシール材５５が取付けられている。
【００３５】
図１のように、枠体５６の上方には、水槽５２内の水中ポンプ７３から送水管７４を介して水が供給されるスプレー管７５が配置されている。このスプレー管７５からスプレーされる高圧水で、枠体５６によるスクリーンプレート５７の回転駆動により流水中から引き上げられた塵埃がスクリーンプレート５７から下方に脱落されるようになる。
【００３６】
この脱落する塵埃は、その下方のトラフ（塵埃案内手段）７６で捕集されて、水槽５２の外部に案内されるようになる。
【００３７】
第１実施形態の除塵装置であれば、枠体５６でスクリーンプレート５７を回転駆動することで、流水中の塵埃を捕捉しながら流水中から引き上げることができる。また、除塵装置は、六角カップタイプであるから、水深が浅くて流量の少ない水路に適している（図１の水位Ｌ３参照）。
【００３８】
さらに、各スクリーンプレート５７は、リング状円板５９の開口５９ａから枠体５６の内部に正六角形状でエンドレス状態となるように差し込み、先端部５７ｂを駆動円板５８に着脱可能に固定し、後端部５７ｃをリング状円板５９に着脱可能に固定するものである。したがって、各スクリーンプレート５７の一部に破損等が生じたときは、そのスクリーンプレート５７だけを取り外し、新しいスクリーンプレート５７を取り付けることができる。そのため、交換部品（スクリーンプレート５７）コストが安くなるとともに、交換作業に時間がかからないので、交換作業コストも安くなる。
【００３９】
また、スクリーンプレート５７の先端部５７ｂは、駆動円板５８の先端受け部材６９に差し込んで固定するだけであり、スクリーンプレート５７の後端部５７ｃは、後端受け部材７０に載せ、押え部材７１で、後端受け部材７０に押さえて固定するだけである。したがって、スクリーンプレート５７の交換作業が簡単かつ迅速に行える。
【００４０】
さらに、スクリーンプレートが６枚の六角カップタイプとなり、特許文献１の円形カップタイプと比較して、塵埃の捕捉率を維持しながら、交換作業コストを安くすることができる。
【００４１】
また、枠体５６の駆動軸６２を電動モータ６５で直接回転駆動させるから、特許文献１のような高価なチェーンとスプロケットとが不要になって、装置コストが安くなる。
【００４２】
図６、図７は第２実施形態の除塵装置であり、図６（ａ）は側面断面図、同（ｂ）は正面断面図、図７（ａ）は平面断面図、同（ｂ）は図６の要部拡大図である。
【００４３】
駆動円板５８は、外周囲をＶ字状に切り込んだピンホイルラック５８ａを円周上等角度間隔で形成している。
【００４４】
リング状円板５９と駆動円板５８の外周部は、開口５９ａの各角部（本例では６箇所）に対応して、水流方向に延在する連結板６０ａで連結されている。
【００４５】
駆動円板５８の内面には、スクリーンプレート５７の先端部５７ｂを載せて、外方からねじ７７で固定するＬ字状の先端受け部材７８がねじ等で固定して設けられている。
【００４６】
リング状円板５９の内面には、スクリーンプレート５７の後端部５７ｃを載せて、外方からねじ７７で固定するＬ字状の後端受け部材７９がねじ等で固定して設けられている。
【００４７】
また、リング状円板５９の外面には、複数個（本例では６個）のガイドローラ８０を設けて、水槽５２の内部には、リング状円板５９の下部分のガイドローラ８０をガイドする半円状のローラガイド８１を設けている。この半円状のローラガイド８１により、枠体５６のリング状円板５９側が下方に撓まないように支持されるようになる。
【００４８】
そして、水槽５２の上部に設置した減速機付き電動モータ（駆動手段）６５のピンホイル８２を駆動円板５８のピンホイルラック５８ａに噛み合わせれば、電動モータ６５からピンホイル８２を介して駆動円板５８が回転駆動されるようになる。
【００４９】
第２実施形態は、ピンホイル式駆動手段であり、電動モータ６５は、水位Ｌ３のかなり上方に位置するようになるから、水没するおそれはない。
【００５０】
第２実施形態においては、各スクリーンプレート５７は、先端受け部材７８と後端受け部材７９とに跨って載せ、各受け部材７８，７９に外方からねじ７７で着脱可能に固定するものである。したがって、各スクリーンプレート５７の一部に破損等が生じたときは、そのスクリーンプレート５７だけを取り外し、新しいスクリーンプレート５７を取り付けることができる。そのため、交換部品（スクリーンプレート５７）コストが安くなるとともに、交換作業に時間がかからないので、交換作業コストも安くなる。
【００５１】
また、スクリーンプレート５７の先端部５７ｂと後端部５７ｃは、各受け部材７８，７９に載せ、ねじ７７で固定するだけである。したがって、スクリーンプレート５７の交換作業が簡単かつ迅速に行える。
【００５２】
前記各実施形態においては、スクリーンプレート５７の回転駆動で流水中から引き上げられ、スクリーンプレート５７から脱落した塵埃は、トラフ７６で捕集されて、水槽５２の外部に案内されるだけであった。
【００５３】
これに対して、図８、図９に示すように、スクリーンプレート５７から脱落した塵埃を、脱水・圧縮機構が内蔵されているスクリューコンベヤ（塵埃案内手段）４２で捕集する構成とすることができる。
【００５４】
すなわち、螺旋状のスクリューコンベヤ４２は、ケーシング４３内に収納されて、電動モータ４９で回転駆動されるようになっている。ケーシング４３は、スクリューコンベヤ４２の先端側で、脱落した塵埃を捕集するためのホッパー部４３ａと、スクリューコンベヤ４２が嵌まり込む送り筒部４３ｂと、スクリューコンベヤ４２の基端で、下方に湾曲された湾曲筒部４３ｃとで構成されている。
【００５５】
スクリューコンベヤ４２は、ホッパー部４３ａと湾曲筒部４３ｃの間の中間付近までは、ホッパー部４３ａで捕集された塵埃を脱水（図８の矢印ｄを参照）しながらスムーズに送り出すための広ピッチに形成され、その後、湾曲筒部４３ｃの付近までは、塵埃を１次的に圧縮するための狭ピッチに形成されている。また、基端付近は、塵埃を湾曲筒部４３ｃ側に送り戻すための逆向き螺旋状に形成されている。
【００５６】
湾曲筒部４３ｃの下端には、下向きに広がったフード部４３ｄが形成され、このフード部４３ｄの内部には、中心穴４４ａを有するコーン体４４が配置されている。
【００５７】
コーン体４４は、フード部４３ｄの内部で、平面視で略Ｙ字状の支持部材５０の中心に上端が固定された軸部材４５に中心穴４４ａが嵌合されて上下移動自在に支持されている。軸部材４５の下部には雄ねじ４５ａが形成され、この雄ねじ４５ａにストローク調整用ナット４６がねじ込まれている。ストローク調整用ナット４６の上部にはワッシャ４７ａを介してばね受け座４７が配置され、このばね受け座４７とコーン体４４の間には、圧縮コイルばね４８が縮装されている。なお、コーン体４４には、圧縮コイルばね４８の外周囲をカバーするカバー部４４ｂが設けられている。
【００５８】
そして、コーン体４４は、圧縮コイルばね４８の付勢力で、常時はフード部４３ｄの内面に当接することで開口を閉じている（図９の左半分を参照）。また、送り筒部４３ｂから湾曲筒部４３ｃに送り込まれた塵埃を２次的に圧縮し、塵埃の送り出し力が圧縮コイルばね４８の付勢力に勝った時には、圧縮コイルばね４８の付勢力に抗してコーン体４４がフード部４３ｄの内面から離れることで開口を開くようになる（図９の右半分を参照）。これにより、矢印ｃのように、塵埃が２次的に圧縮されながら外部に搬出されるようになる。
【００５９】
このように、塵埃を捕集して単に外部に搬出するトラフ７６に代えて、脱水・圧縮機構付きスクリューコンベヤ４２を設けることで、塵埃を捕集し、脱水しつつ圧縮できることで、トラフ７６と脱水装置と圧縮装置を別々に設置する場合と比べて、各装置の設置スペースが不要になるとともに、設備コストも安くなる。
【００６０】
図１０に示したように、水路に相当する水槽５２を床面５１に設置して、この水槽５２の内部に枠体５６とスクリーンプレート５７との組み立て体１００を組み込む。また、水槽５２の側壁面５２ｄ，５２ｂに、水流の入口管５３とスクリューコンベヤ４２とを取付け、他側の側壁面５２ｃに、水流の出口管５３と、スプレー管７５とを取付ける。さらに、水槽５２の上壁面には、開閉可能な蓋５２ｆを取付ける。なお、入口管５２、出口管５３、スプレー管２７は、側壁面５２ｂ〜５２ｅのいずれにも取付けることが可能であり、底壁面５２ａや上壁面（蓋５２ｆ）に取付けることも可能である。
【００６１】
このような構成であれば、製造工場で水槽５２内に組み立て体１００を組み込み、壁面５２ｂ〜５２ｄに入口管５３等を取付けたてユニット化したものを、トラック等で水処理工場に搬送して、この水処理工場の床面５１に設置する。そして、図１１のように、水処理工場内のポンプ圧送のメイン給水配管９０に入口管５３を接続し、メイン排水配管９１に出口管５４を接続し、メイン送水管９２にスプレー管７５を接続する。なお、スクリューコンベヤ４２から搬出された塵埃は、床面５１に設置した塵埃溜め箱等で回収することができる。なお、スクリューコンベヤ４２に代えて、トラフ７６を取付けることもできる。
【００６２】
これにより、水処理工場内の床面５１に除塵装置を設置することができる。したがって、土木工事で地面に水路を掘って除塵装置を設置する場合と比べて、除塵装置の設置工事を簡単かつ迅速に行うことができる。
【００６３】
また、除塵装置が小流量タイプ（例えば処理水量が２５００〜５０００ｍ３／日）である場合には、図１１のように、複数台の水槽（ユニット）５２を並べて設置し、各水槽（ユニット）５２の入口管５３等を水処理工場内の各メイン配管９０〜９２にそれぞれ接続すれば、簡単に大流量タイプとすることもできる。
【００６４】
さらに、水槽５２の蓋５２ｆを取り外せば、スクリーンプレート５７の交換作業等のメンテナンスも簡単かつ迅速に行える。また、電動モータ４９，６５は、水槽５２の外部にあるから、防水対策が不要であり、メンテナンスも簡単かつ迅速に行える。なお、スクリューコンベヤ４２またはトラフ７６から搬出された塵埃は、ベルトコンベヤ等を利用することで一括回収することも可能である。
【符号の説明】
【００６５】
４２    スクリューコンベヤ（塵埃案内手段）
４３    ケーシング
５２    水槽（水路）
５２ｆ  蓋
５３    入口管
５４    出口管
５６    枠体
５７    スクリーンプレート
５７ｂ  先端部
５７ｃ  後端部
５８    駆動円板
５９    リング状円板
５９ａ  開口
６０ａ，６０ｂ  連結板
６２    駆動軸
６５    電動モータ（駆動手段）
６９    先端受け部材
７０    後端受け部材
７１    押え部材
７５    スプレー管
７６    トラフ（塵埃案内手段）
７８    先端受け部材
７９    後端受け部材
１００  組み立て体
【図１】
0005513968.tif 000002
【図２】
0005513968.tif 000003
【図３】
0005513968.tif 000004
【図４】
0005513968.tif 000005
【図５】
0005513968.tif 000006
【図６】
0005513968.tif 000007
【図７】
0005513968.tif 000008
【図８】
0005513968.tif 000009
【図９】
0005513968.tif 000010
【図１０】
0005513968.tif 000011
【図１１】
0005513968.tif 000012
【図１２】
0005513968.tif 000013